(57)【特許請求の範囲】
【請求項１】
互いに異なるタイミングで開閉動作を行う複数のシャッター機構のそれぞれに対応して供給される複数の映像ストリームを巡回的に切り替えて時分割表示する表示部と、
複数の階調値を２次元配置してなる互いに異なるパターンをそれぞれ有する複数のマスクを用いて、入力された映像に対してディザリング処理を行い、前記ディザリング処理が施された映像を前記表示部へ供給するディザリング処理部と
を備え、
前記複数のマスクの各パターンは、前記複数のマスクの全てを時分割で切り替えたときに、各マスクにおける前記複数の階調値が、空間的かつ時間的に平均化されるように構成され、
前記ディザリング処理部は、個々のシャッター機構ごとに、シャッター開タイミングに同期して前記複数のマスクの全てが巡回的に順次切り替わるように制御する
映像表示装置。
【請求項２】
前記複数のシャッター機構は、単位フレーム期間内で交番的に開閉する左眼用シャッターおよび右眼用シャッターを含むものであり、
前記複数の映像ストリームは、互いに視差を有する左眼用映像ストリームおよび右眼用映像ストリームを含み、
前記表示部は、前記左眼用映像をｎ回（ｎは１以上の整数）連続して書き込む第１の表示用書込動作と、前記右眼用映像をｎ回連続して書き込む第２の表示用書込動作とを前記単位フレーム期間内に行う
請求項１に記載の映像表示装置。
【請求項３】
前記ディザリング処理部は、各マスクが、前記単位フレーム期間内では切り替わらず、前記単位フレーム期間毎に切り替わるように制御する
請求項２に記載の映像表示装置。
【請求項４】
前記ディザリング処理部は、各マスクが前記単位フレーム期間内において順次切り替わると共に、その切り替えの順序が前記単位フレーム期間毎に異なるように制御する
請求項２に記載の映像表示装置。
【請求項５】
前記ディザリング処理部は、前記ディザリング処理によって階調表現を拡張した後、色度調整処理を行う
請求項１ないし請求項４のいずれか１項に記載の映像表示装置。
【請求項６】
前記ディザリング処理部は、前記シャッター機構の種類毎に用意された、対応する色度調整パラメータを用いて前記色度調整処理を行う
請求項５に記載の映像表示装置。
【請求項７】
互いに異なるタイミングで開閉動作を行う複数のシャッター機構と、
各シャッター機構のそれぞれに対応して供給される複数の映像ストリームを巡回的に切り替えて時分割表示する表示部と、
複数の階調値を２次元配列してなる互いに異なるパターンをそれぞれ有する複数のマスクを用いて、入力された映像に対してディザリング処理を行い、前記ディザリング処理が施された映像を前記表示部へ供給するディザリング処理部と
を備え、
前記複数のマスクの各パターンは、前記複数のマスクの全てを時分割で切り替えたときに、各マスクにおける前記複数の階調値が、空間的かつ時間的に平均化されるように構成され、
前記ディザリング処理部は、個々のシャッター機構ごとに、シャッター開タイミングに同期して前記複数のマスクの全てが巡回的に順次切り替わるように制御する
映像表示システム。
【発明の詳細な説明】
【技術分野】
【０００１】
本発明は、例えばシャッター眼鏡を用いた時分割駆動方式の映像表示装置および映像表示システムに関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
ところで、液晶表示装置では、その用途に応じて、１フレーム期間を多分割し、分割した時間毎に異なる映像を表示させる駆動（以下、時分割駆動という）が行われている。このような時分割駆動方式を用いた液晶表示装置としては、例えばフィールドシーケンシャル方式を用いた液晶表示装置や、いわゆるシャッター眼鏡を用いた立体映像表示システム等が挙げられる。
【０００４】
フィールドシーケンシャル方式は、１フレーム期間を３分割し、赤（Ｒ）、緑（Ｇ）、青（Ｂ）の各色に対応した映像を順次書き込むと共に、各映像の書き込みに同期してバックライトからＲ，Ｇ，Ｂの色光を発光させることによりカラー表示を行う駆動方式である。液晶表示装置では、通常１つの画素を赤（Ｒ）、緑（Ｇ）および青（Ｂ）の複画素に空間的に分割しているため光の利用効率が悪くなるが、このような駆動方式を採用することにより、利用効率を向上させることができる。
【０００５】
シャッター眼鏡を用いた立体映像表示システムでは、１フレーム期間を２分割し、左眼用および右眼用の映像として互いに視差を有する２枚の映像を交互に表示させる。またこの各映像の表示に同期して左眼部および右眼部の開閉動作を切り替えるシャッター眼鏡を用いるものである。観察者が、シャッター眼鏡をかけて表示映像を観察することにより、その表示映像を立体的な映像として認識することができる。
【０００６】
ところで、一般的な２次元映像表示装置では、入力された元映像におけるビット数と、ディスプレイにおいて表現可能なビット数が異なる場合がある。そこで、このような場合に対応すべく、映像信号のビット数を変換（縮小または拡張）する処理として、例えばディザリング処理が行われている。ディザリング処理については、これまでにも様々な提案がなされている（例えば、特許文献１〜５参照）。
【先行技術文献】
【特許文献】
【０００７】
【特許文献１】特開２００１−１３４２４３号公報
【特許文献２】特開２００１−２８２１９０号公報
【特許文献３】特開２００７−９４４１１号公報
【特許文献４】特表２００６−５０６６６４号公報
【特許文献５】特表２００６−５０６６６５号公報
【発明の概要】
【発明が解決しようとする課題】
【０００８】
例えば、入力映像信号の階調表現を拡張したい場合には、数種類の階調を様々なパターンで２次元配置させた複数のディザリングマスクを用意し、これらのディザリングマスクを時分割で切り替える。これにより、ディザリングマスクに配置された各階調が、空間的および時間的に平均化され、それらの中間調を擬似的に表現することができる。
【０００９】
しかしながら、このような２次元表示の際のディザリング処理を、時分割駆動方式を用いた映像表示システム、特にシャッター眼鏡を用いた立体映像表示システムに適用すると、次のような不具合が生じる。ここで、上記立体映像表示システムでは、シャッター眼鏡において、左眼用映像の表示期間中は左眼部を開状態（右眼部を閉状態）、右眼用映像の表示期間中は右眼部を開状態（左眼部を閉状態）とする。このため、２次元表示の場合と同様の手順で、ディザリングマスクのパターンを切り替えると、シャッター眼鏡の閉動作によってマスクパターンの一部が遮断されることとなる。これによって、マスクパターンがうまく平均化されず、表示映像にざらつきやフリッカが生じてしまう。
【００１０】
本発明はかかる問題点に鑑みてなされたもので、その目的は、時分割駆動方式において、表示映像のざらつきやフリッカの発生を抑制しつつ階調を拡張することが可能な映像表示装置および映像表示システムを提供することにある。
【課題を解決するための手段】
【００１１】
本発明の映像表示装置は、互いに異なるタイミングで開閉動作を行う複数のシャッター機構のそれぞれに対応して供給される複数の映像ストリームを巡回的に切り替えて時分割表示する表示部と、複数の階調値を２次元配置してなる互いに異なるパターンをそれぞれ有する複数のマスクを用いて、入力された映像に対してディザリング処理を行い、ディザリング処理が施された映像を前記表示部へ供給するディザリング処理部とを備えたものである。複数のマスクの各パターンは、複数のマスクの全てを時分割で切り替えたときに、各マスクにおける複数の階調値が、空間的かつ時間的に平均化されるように構成されている。ディザリング処理部は、個々のシャッター機構ごとに、シャッター開タイミングに同期して複数のマスクの全てが巡回的に順次切り替わるように制御する。
【００１２】
本発明の映像表示システムは、互いに異なるタイミングで開閉動作を行う複数のシャッター機構と、上記本発明の表示部およびディザリング処理部とを備えたものである。
【００１３】
本発明の映像表示装置および映像表示システムでは、ディザリング処理部が、各シャッター機構の開タイミングに同期して、複数の階調値を互いに異なる所定のパターンで２次元配列させてなる複数のマスクを、その全てのマスクが巡回的に順次切り替わるように制御してディザリング処理を行う。各マスクにおける複数の階調値が、空間的かつ時間的に平均化され、これらの中間調が表現される。
【発明の効果】
【００１４】
本発明の映像表示装置および映像表示システムによれば、表示部が各シャッター機構に対応する映像を時分割で切り替えて表示する際に、各シャッター機構の開タイミングに同期して、ディザリング処理部が、複数の階調値を互いに異なる所定のパターンで２次元配列させてなる複数のマスクを、その全パターンが巡回的に順次切り替わるように制御してディザリング処理を行う。これにより、時分割駆動方式において、表示映像のざらつきやフリッカの発生を抑制しつつ階調表現を拡張することが可能となる。
【図面の簡単な説明】
【００１５】
【図１】本発明の一実施の形態に係る表示装置を備えた映像表示システムの全体構成を表すブロック図である。
【図２】図１に示した画素の詳細構成例を表す回路図である。
【図３】図１に示した映像表示システムにおける立体映像表示動作を説明するための模式図である。
【図４】図１に示した映像表示システムにおける立体映像表示動作の概要を表すタイミング図である。
【図５】比較例に係る２次元映像表示動作の概要の表すタイミング図である。
【図６】図５に示した比較例におけるディザリング処理動作を説明するための模式図である。
【図７】比較例に係るディザリング処理を立体映像表示に適用した際の不具合を説明するための模式図である。
【図８】図１に示したディザリング処理部におけるディザリング処理動作を説明するための模式図である。
【図９】シャッター眼鏡の種類と色度（ｘ，ｙ）との関係を表す図である。
【図１０】色度調整ルックアップテーブルの一例である。
【図１１】変形例１に係るディザリング処理動作を説明するための模式図である。
【図１２】変形例２に係る立体映像表示動作の概要を表すタイミング図である。
【図１３】変形例２に係るディザリング処理動作を説明するための模式図である。
【図１４】変形例３に係るディザリング処理動作を説明するための模式図である。
【図１５】変形例４に係るディザリングマスクパターンを表す模式図である。
【図１６】変形例５に係るマルチビューシステムを説明するための模式図である。
【発明を実施するための形態】
【００１６】
以下、本発明の実施の形態について、図面を参照して詳細に説明する。尚、説明は以下の順序で行う。
１．実施の形態（立体映像表示（２回書き込み）においてディザリング処理を用いた例）
２．変形例１（２回書き込みの場合の他のディザリング処理の例）
３．変形例２（１回書き込みの場合のディザリング処理の例）
４．変形例３（１回書き込みの場合の他のディザリング処理の例）
５．変形例４（４×４のマスクパターンの例）
６．変形例５（マルチビューシステムの例）
【００１７】
＜実施の形態＞
［映像表示システムの全体構成］
図１は、本発明の一実施の形態に係る映像表示システムのブロック構成を表すものである。この映像表示システムは、時分割駆動方式の立体映像表示システムであり、液晶表示装置１およびシャッター眼鏡６を備えている。
【００１８】
（液晶表示装置１の構成）
液晶表示装置１は、左右の視差を有する右眼用映像信号ＤＲおよび左眼用映像信号ＤＬからなる入力映像信号Ｄinに基づいて、映像表示を行うものである。この液晶表示装置１は、液晶表示パネル２、バックライト３、映像信号処理部４１、ディザリング処理部４２、シャッター制御部４３、タイミング制御部４５、バックライト駆動部５０、データドライバ５１およびゲートドライバ５２を備える。
【００１９】
バックライト３は、液晶表示パネル２に対して光を照射する光源であり、例えばＬＥＤ（Light Emitting Diode）や、ＣＣＦＬ（Cold Cathode Fluorescent Lamp）等を含むものである。
【００２０】
液晶表示パネル２は、ゲートドライバ５２から供給される駆動信号に従って、データドライバ５１から供給される映像電圧に基づいてバックライト３から発せられる光を変調することにより、入力映像信号Ｄinに基づく映像表示を行うものである。具体的には、詳細は後述するが、右眼用映像信号ＤＲに基づく右眼用映像と、左眼用映像信号ＤＬに基づく左眼用映像とを、時分割で交互に表示する。この液晶表示パネル２は、全体としてマトリクス状に配列された複数の画素２０を有するものである。
【００２１】
図２を参照して、各画素２０の詳細構成について説明する。図２は、各画素２０内の画素回路の回路構成例を表したものである。画素２０は、液晶素子２２、ＴＦＴ（Thin Film Transistor；薄膜トランジスタ）素子２１および補助容量素子２３を有している。この画素２０には、駆動対象の画素を線順次で選択するためのゲート線Ｇと、駆動対象の画素に対して映像電圧（データドライバ５１から供給される映像電圧）を供給するためのデータ線Ｄと、補助容量線Ｃｓとが接続されている。
【００２２】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の各一端に接続されている。
【００２３】
映像信号処理部４１は、入力映像信号Ｄinに対して、右眼用映像信号ＤＲおよび左眼用映像信号ＤＬの出力順序（書き込み順序）の制御を行うことにより、映像信号Ｄ１を生成するものである。具体的には、右眼用映像信号ＤＲおよび左眼用映像信号ＤＬが複数回（ここでは、２回）ずつ連続して出力されつつ、１フレーム期間内においてこれらの映像信号が時分割的に順次切り換わって出力されるように、出力順序の制御を行う。即ち、ここでは、１フレーム期間内において、左眼用映像信号ＤＬ→左眼用映像信号ＤＬ→右眼用映像信号ＤＲ→右眼用映像信号ＤＲの順序で出力されるように、映像信号Ｄ１を生成している。以下、１フレーム期間のうち、左眼用映像信号ＤＬが２回連続して出力される（書き込まれる）期間を「Ｌサブフレーム期間」、右眼用映像信号ＤＲが２回連続して出力される（書き込まれる）期間を「Ｒサブフレーム期間」と称する。
【００２４】
シャッター制御部４３は、映像信号処理部４１によるタイミング制御に従って、後述するシャッター眼鏡６に対し、左眼用，右眼用の映像の表示タイミングと同期したシャッターのタイミング制御信号（制御信号ＣＴＬ）を出力するものである。この制御信号ＣＴＬは、ここでは例えば赤外線信号等の無線信号であるものとして示しているが、有線信号であってもよい。
【００２５】
ディザリング処理部４２は、映像信号処理部４１から出力された映像信号Ｄ１（右眼用映像信号ＤＲ，左眼用映像信号ＤＬ）における階調表現を拡張するディザリング処理を行うことにより、映像信号Ｄ２を生成するものである。具体的には、詳細は後述するが、ｍ×ｎ（ｍ×ｎは２以上の整数）のマトリクス領域を有するディザリングマスク（以下、単にマスクという）を複数用いて、これら複数のマスクを、所定のタイミングで切り替えつつディザリング処理を行う。各マスクにおいて、ｍ×ｎの領域は、映像におけるｍ×ｎの画素配列に対応しており、少なくとも２種類の階調が所定のパターンで配列した構成となっている。この階調の配列パターンは、マスク毎に異なっている。これにより、階調表現を拡張することができる。
【００２６】
このディザリング処理部４２は、また、上記ディザリング処理後の映像信号Ｄ２に対して、色度調整処理（ホワイトバランス調整処理）を行うようになっている。具体的には、シャッター眼鏡６の種類毎に異なる色度調整パラメータを予め保持しておき、観察者が使用するシャッター眼鏡６の種類に応じた色度調整パラメータを選択して、選択した色度調整パラメータに基づく色度調整を行う。このような色度調整の際には、例えばルックアップテーブル（ＬＵＴ）４４等が用いられる。尚、ここでは、ディザリング処理を利用して色度調整処理を行う場合を例に挙げて説明を行うが、本発明におけるディザリング処理は、このような色度調整処理に限らず、様々な用途に利用することが可能である。
【００２７】
タイミング制御部４５は、バックライト駆動部５０、ゲートドライバ５２およびデータドライバ５１の駆動タイミングを制御すると共に、ディザリング処理部４２から供給される映像信号Ｄ２をデータドライバ５１へ供給するものである。尚、タイミング制御部４５が、映像信号Ｄ２の階調に応じて、映像信号Ｄ２に対してオーバードライブ処理を施すようにしてもよい。
【００２８】
ゲートドライバ５２は、タイミング制御部４５によるタイミング制御に従って、液晶表示パネル２内の各画素２０を図示しない走査線（ゲート線Ｇ）に沿って線順次駆動するものである。
【００２９】
データドライバ５１は、液晶表示パネル２の各画素２０へ、タイミング制御部４５から供給される映像信号Ｄ２に基づく映像電圧を供給するものである。具体的には、映像信号Ｄ２に対してＤ／Ａ（デジタル／アナログ）変換を施すことにより、アナログ信号である映像信号（上記映像電圧）を生成し、各画素２０へ出力する。
【００３０】
バックライト駆動部５０は、バックライト３を駆動するものである。
【００３１】
（シャッター眼鏡６の構成）
シャッター眼鏡６は、観察者が用いることにより立体映像の観察を可能とするものであり、左眼用シャッター６Ｌおよび右眼用シャッター６Ｒを含むものである。左眼用シャッター６Ｌおよび右眼用シャッター６Ｒにはそれぞれ、例えば液晶シャッター等の遮光シャッター（図示せず）が設けられている。各遮光シャッターは、その遮光機能の有効状態（クローズ（閉）状態）および無効状態（オープン（開）状態）が、シャッター制御部４３から供給される制御信号ＣＴＬにより制御されるものである。具体的には、シャッター眼鏡６は、液晶表示装置１における左眼用映像および右眼用映像の表示切り換えに同期して開閉動作を行うようになっている。尚、これらの左眼用シャッター６Ｌおよび右眼用シャッター６Ｒが、本発明のシャッター機構の一具体例である。
【００３２】
［映像表示システムの作用・効果］
（１．立体映像表示動作）
まず、本実施の形態の映像表示システムにおける立体映像表示動作について、図１〜４を参照して説明する。液晶表示装置１において、映像信号処理部４１が入力映像信号Ｄinに対し、右眼用映像信号ＤＲおよび左眼用映像信号ＤＬの出力順序（書き込み順序）の制御を行い、映像信号Ｄ１を生成し、ディザリング処理部４２へ出力される。ディザリング処理部４２は、映像信号Ｄ１に対し、所定のマスクを用いたディザリング処理および色度調整処理を施し、映像信号Ｄ２を生成する。生成された映像信号Ｄ２は、タイミング制御部５１を介してデータドライバ５１へ供給される。
【００３３】
データドライバ５１では、映像信号Ｄ２に対してＤ／Ａ変換を施し、アナログ信号である映像電圧を生成される。そして、ゲートドライバ５２およびデータドライバ５１から出力される各画素２０への駆動電圧によって、線順次の表示駆動動作がなされる。
【００３４】
具体的には、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、映像信号Ｄ２に基づく映像電圧が液晶素子２２へと供給され、表示駆動動作がなされる。即ち、画素２０において、バックライト３からの照明光が変調されて表示光として出射される。このようにして、入力映像信号Ｄin（右眼用映像信号ＤＲ，左眼用映像信号ＤＬ）に基づく右眼用映像および左眼用映像が、時分割で交互に表示される（時分割駆動がなされる）。
【００３５】
一方、シャッター制御部４３は、映像信号処理部４１によるタイミング制御に従って、シャッター眼鏡６に対し、左眼用映像および右眼用映像の表示タイミングと同期したシャッターの制御信号ＣＴＬを出力する。
【００３６】
この際、図３（Ａ）に示したように、左眼用の映像表示のときには、制御信号ＣＴＬにより、観察者７が用いるシャッター眼鏡６において、左眼用シャッター６Ｌを開状態、右眼用シャッター６Ｒを閉状態とし、左眼用映像に基づく表示光ＬＬが左眼用シャッター６Ｌのみを透過するように、シャッター眼鏡６の制御を行う。一方、図３（Ｂ）に示したように、右眼用の映像表示のときには、制御信号ＣＴＬにより、右眼用シャッター６Ｒを開状態、左眼用シャッター６Ｌを閉状態とし、右眼用映像に基づく表示光ＬＲが右眼用シャッター６Ｒのみを透過するように、シャッター眼鏡６の制御を行う。
【００３７】
上記のような液晶表示装置１における右眼用および左眼用の映像表示と、シャッター眼鏡６における開閉動作がそれぞれ時分割で交互に繰り返される。液晶表示装置１の表示画面をシャッター眼鏡６をかけて観察することにより、観察者７は、左眼用映像を左眼７Ｌ、右眼用映像を右眼７Ｒでそれぞれ見ることができる。これらの左眼用映像と右眼用映像との間には視差があるため、観察者７には奥行きのある立体的な映像として認識される。
【００３８】
ここで、図４（Ａ），（Ｂ）を参照して、上記のような液晶表示装置１における映像の書き込み・表示動作と、シャッター眼鏡６の開閉動作との時間的な対応関係について、詳細に説明する。図４（Ａ）は映像の書き込み・表示動作、図４（Ｂ）はシャッター眼鏡６（左眼用シャッター６Ｌ，右眼用シャッター６Ｒ）の開閉状態をそれぞれ示すタイミング図である。図４（Ａ）において、実線の矢印は右眼用映像信号の書き込み（Ｒ書き込み）のタイミング、破線の矢印は左眼用映像信号の書き込み（Ｌ書き込み）のタイミングをそれぞれ示す。図４（Ｂ）では、左眼用シャッター６Ｌ，右眼用シャッター６Ｒにおける閉期間を黒色、開期間（ＴonＬ，ＴonＲ）を白色で示す。
【００３９】
液晶表示装置１では、図４（Ａ）に示したように、１フレーム期間のうちのＬサブフレーム期間において、同一の左眼用映像信号が連続して２回ずつ液晶表示パネル２に書き込まれる。これにより、２回目の左眼用映像信号の書き込みが完了してから、次の映像信号の書き込み（右眼用映像信号の１回目の書き込み）が完了するまでの期間（Ｌ１ａ，Ｌ２ａ，…）、画面全体において所望の階調輝度が保持される。即ち、期間Ｌ１ａ，Ｌ２ａ，…において左眼用映像Ｌ１，Ｌ２，…が表示画面に表示される。同様にＲサブフレーム期間においても、右眼用映像信号の連続２回書き込みにより、２回目の書き込みが完了してから、次の書き込み（左眼用映像信号の１回目の書き込み）が完了するまでの期間（Ｒ１ａ，…）、画面全体で所望の階調輝度が保持される。即ち、期間Ｒ１ａ，Ｒ２ａ，…において右眼用映像Ｒ１，Ｒ２，…が表示画面に表示される。
【００４０】
一方、シャッター眼鏡６では、図４（Ｂ）に示したように、左眼用シャッター６Ｌにおける開期間ＴonLが期間Ｌ１ａ，Ｌ２ａ，…に対応して設定されると共に、右眼用シャッター６Ｒにおける開期間ＴonRが期間Ｒ１ａ，…に対応して設定されている。
【００４１】
（２．ディザリング処理動作）
続いて、ディザリング処理部４２におけるディザリング処理動作および色度調整処理について説明する。ディザリング処理部４２は、上記のような立体映像表示に用いられる左眼用映像および右眼用映像の階調を拡張させる処理を行うことにより、映像信号Ｄ２を生成する。更に、本実施の形態では、この階調拡張後の映像信号Ｄ２に対して色度調整処理を施す。
【００４２】
（２−１．比較例）
まず、本実施の形態の比較例として、図５および図６を参照して、２次元映像表示の場合のディザリング処理について説明する。図５は、比較例に係る２次元映像表示動作の概要を説明するためのタイミング図である。図５において、破線の矢印は映像信号の書き込みのタイミングをそれぞれ示す。図６は、比較例に係るディザリング処理を説明するためのタイミング図である。図７は、比較例に係るディザリング処理を立体映像表示にそのまま適用した際の不具合を説明するための図である。
【００４３】
図５に示したように、２次元映像を表示する場合には、１フレーム期間に映像信号を１回ずつ書き込み（Ｆ１書き込み，Ｆ２書き込み）、映像Ｆ１，Ｆ２，…をそれぞれ画面上に表示させる。表示された映像は、シャッター眼鏡を介することなく、観察者によって観察され、２次元の映像として認識される。
【００４４】
２次元映像表示の場合、ディザリング処理は、次のようにして行う。例えば図６（Ａ）に示したように、１フレーム期間において、複数のマスクを時分割で切り替える。使用するマスクとしては、上述したようなｍ×ｎのマトリクス領域に、少なくとも２種類の階調が所定のパターンで配列させたものを用いる。具体的にここでは、２×２の領域に３１階調と３２階調とを互いに異なるパターン（Ｐ１〜Ｐ４）で配列させた４つのマスクを用いる場合を例に挙げて説明する。パターンＰ１〜Ｐ４はいずれも、２×２の各領域のうち１つの領域に３１階調、３つの領域に３２階調をそれぞれ配置したものであり、これらのうち３１階調の位置がパターン毎に異なっている。例えば、３１階調の位置が、パターンＰ１では左上、パターンＰ２では右上、パターンＰ３では右下、パターンＰ４では左下となるように配置されている。
【００４５】
１フレーム期間において、これらのマスクのパターンＰ１〜Ｐ４を、時分割で切り替えることにより、各マスクに配置された２種類の階調が、時間的かつ空間的に平均化され、その中間調が表現される。ここでは、１フレーム期間全体では、３１．７５階調を表現することができる（図６（Ｂ）のＡ１）。これにより、階調表現を例えば２ビット拡張することが可能である。
【００４６】
しかしながら、このようなマスクを用いたディザリング処理を立体映像表示の場合にそのまま適用すると、次のような不具合が生じる。ここで、上述したように、立体映像表示動作では、１フレーム期間において、左眼用映像の表示期間（Ｌ１ａ）にのみ、左眼用シャッター６Ｌを開状態とし、右眼用映像の表示期間（Ｒ１ａ）にのみ、右眼用シャッター６Ｒを開状態とする。このため、図７（Ａ）〜（Ｃ）に示したように、２次元映像表示の場合と同様にして、パターンＰ１〜Ｐ４を切り替えると、左眼用シャッター６Ｌおよび右眼用シャッター６Ｒにおける閉動作によってマスクパターンの一部が遮断される。例えば、パターンＰ１〜Ｐ４のうち、パターンＰ１，Ｐ３が左眼用シャッター６Ｌまたは右眼用シャッター６Ｒにより遮断され、この結果、左眼ではパターンＰ２、右眼ではパターンＰ４がそのまま視認されてしまうこととなる。これでは、マスクに配置された各階調を時間的にも空間的にも平均化することができず、表示映像にざらつきやフリッカを発生させる要因となる。
【００４７】
（２−２．本実施の形態のディザリング処理）
そこで、本実施の形態では、次のようなディザリング処理を行う。図８（Ａ）〜（Ｃ）は、ディザリング処理部４２におけるディザリング処理動作の概要を説明するためのタイミング図である。図８（Ａ）は、シャッター眼鏡６における左眼用シャッター６Ｌと右眼用シャッター６Ｒの開閉状態を示すものである。図８（Ｂ）は、連続する４つの単位フレーム期間（Ｆ−１〜Ｆ−４）におけるマスクパターンの切り替えのタイミングを表すものである。尚、上記比較例と同様、２×２の領域に３１階調と３２階調とを１：３の存在比で配置させると共に、３１階調を左上、右上、右下、左下にそれぞれ配置させてなるパターンＰ１〜Ｐ４を有する４つのマスクを用いた場合を例に挙げて説明する。
【００４８】
図８（Ｂ）に示したように、ディザリング処理部４２は、単位フレーム期間毎に、マスクを切り替える制御を行う。換言すると、あるフレーム期間Ｆ−１において、パターンＰ１を継続して使用し、次のフレーム期間Ｆ−２への切り替えタイミングに同期して、パターンＰ１からパターンＰ２への切り替えを行う。同様に、フレーム期間Ｆ−３への切り替えタイミングに同期してパターンＰ３への切り替え、フレーム期間Ｆ−４への切り替えタイミングに同期して、パターンＰ４への切り替えを行う。尚、これらのマスクの切り替えは、左眼用シャッター６Ｌおよび右眼用シャッター６Ｒが閉期間やブランキング期間に行うようにすればよい。これにより、左眼用シャッター６Ｌおよび右眼用シャッター６Ｒの各開期間ＴonL，ＴonRにおいて、例えば「Ｐ１」→「Ｐ２」→「Ｐ３」→「Ｐ４」の順序でマスクの全パターンを観察者に視認させることができる。
【００４９】
上記のように、単位フレーム期間毎に、パターンＰ１〜Ｐ４を順次切り替えることにより、１フレーム期間内の一定期間にのみ開状態となるシャッター眼鏡６を用いた場合、即ち立体映像表示を行う場合であっても、観察者に、左眼および右眼の双方において、マスクパターンと同数の４フレーム期間で全パターンを連続的に視認させることができる。これにより、各マスクに配置された２種類の階調が、時間的かつ空間的に平均化され、その中間調が擬似的に表現される。換言すると、各マスクの面全体（２×２の画素領域）の階調と、全マスクパターンにおける画素毎の階調とが、それぞれ平均化される。ここでは、時間的にも空間的にも３１階調と３２階調とが１：３の存在比で存在するため、左眼および右眼の双方において、２×２の画素領域において３１．７５階調を表現することができる（図８（Ｃ）のＡ１Ｌ，Ａ１Ｒ）。このようなディザリング処理により、映像信号Ｄ１が例えば２５６階調（８ビット）で表現されている場合に、２５６階調の中間調を擬似的に表現することができる。この結果、液晶表示パネル２に書き込まれる映像信号Ｄ２では、２ビット拡張した１０２４階調（１０ビット）の階調表現が可能となる。尚、この際、２×２の画素領域が一つの階調（３１．７５階調）で表現されることになるため、解像度の低下が懸念されるが、実際には、各画素において各階調が時分割で切り替わるように表示がなされるため、解像度の低下を認識しにくい。
【００５０】
（２−３．色度調整処理）
ディザリング処理部４２は、更に、上記ディザリング処理後の映像信号Ｄ２に対して、色度調整処理を行う。即ち、本実施の形態では、上記のようなディザリング処理を利用した色度調整処理を行う。ここで、図９に、シャッター眼鏡（眼鏡１〜３）と色度座標（ｘ，ｙ）との関係を示す。図９において座標Ｐ０は、シャッター眼鏡を介さない場合の表示画面に表示された映像そのものの色度座標である。眼鏡１〜３は、それぞれ液晶の駆動モード等が互いに異なるものである。図９に示したように、シャッター眼鏡を使用することにより、色度にずれが生じることがわかり、更にシャッター眼鏡の種類によっても、その特性の差に起因して色度のずれ具合が異なることがわかる。
【００５１】
このため、ディザリング処理部４２は、シャッター眼鏡の種類毎に異なる色度調整パラメータを予め保持しておき、色度調整時には、観察者が使用するシャッター眼鏡の種類に応じた色度調整パラメータを選択して、選択した色度調整パラメータを用いた調整を行う。この際、例えば図１０に示したような色度調整用のＬＵＴ４４等を用いる。図１０では、液晶表示パネル２の表示画面に表示される映像のＲ，Ｇ，Ｂそれぞれの階調に対して、図９に示した色度ずれを生じる眼鏡１，３のそれぞれを用いた場合について、色度調整後のＲ，Ｇ，Ｂ各色における階調を示している。
【００５２】
このように、シャッター眼鏡６を用いる立体映像表示システムでは、２次元映像表示の場合と異なり、シャッター眼鏡６を介した観察映像に色度ずれが生じるため、色度調整処理を行うことが望ましい。尚、２次元映像表示の場合、色温度に応じたパラメータを用いて色度調整が行われることがあるが、立体映像表示システムでは、シャッター眼鏡の種類によって色ずれ具合が異なるため、その種類に応じた色度調整パラメータを用いることがより望ましい。このように、ディザリング処理によって階調が拡張された映像信号Ｄ２に対して色度調整処理を施すことにより、色度調整を精度良く実現することができる。
【００５３】
以上のように本実施の形態では、ディザリング処理部４２が、シャッター眼鏡６の左眼用シャッター６Ｌおよび右眼用シャッター６Ｒの各開期間において、例えば３１階調と３２階調とをパターンＰ１〜Ｐ４で２次元配列させてなる４つのマスクを、その全てが順次切り替わるように制御する。具体的には、単位フレーム期間毎に、パターンＰ１〜Ｐ４を順次切り替える。これにより、左眼用シャッター６Ｌの開期間ＴonLおよび右眼用シャッター６Ｒの開期間ＴonRのそれぞれにおいて、マスクに配置された各階調を、空間的かつ時間的に平均化し、これらの中間調（ここでは、３１．７５階調）を表現することができる。これにより、時分割駆動方式を用いた立体映像表示システムにおいて、表示映像のざらつきやフリッカの発生を抑制しつつ階調表現を拡張することが可能となる。
【００５４】
以下、上記実施の形態の変形例（変形例１〜５）について説明する。尚、上記実施の形態の立体映像表示システムと同様の構成要素については、同一の符号を付し、適宜説明を省略する。
【００５５】
＜変形例１＞
図１１（Ａ）〜（Ｃ）は、変形例１に係るディザリング処理動作の概要を説明するためのタイミング図である。図１１（Ａ）は、シャッター眼鏡６における左眼用シャッター６Ｌと右眼用シャッター６Ｒの開閉状態を示すものである。図１１（Ｂ）は、連続する４つの単位フレーム期間（Ｆ−１〜Ｆ−４）におけるマスクパターンの切り替えのタイミングを表すものである。変形例１では、上記実施の形態の映像表示システムのディザリング処理部４２におけるディザリング処理動作のみが異なっており、その他の各部の構成および動作は上記実施の形態と同様である。
【００５６】
具体的には、本変形例のディザリング処理動作では、マスクパターンを切り替えるタイミングが上記実施の形態におけるディザリング処理動作と異なっている。即ち、本変形例では、ディザリング処理部４２が、例えば単位フレーム期間内においてパターンＰ１〜Ｐ４が順次切り替わると共に、その切り替えの順序が単位フレーム期間毎に異なるように制御する。例えば、図１１（Ｂ）に示したように、あるフレーム期間Ｆ−１では、マスクパターンを「Ｐ１」→「Ｐ２」→「Ｐ３」→「Ｐ４」の順序で切り替え、次のフレーム期間Ｆ−２では、マスクパターンを「Ｐ２」→「Ｐ３」→「Ｐ４」→「Ｐ１」の順序で切り替える。同様に、続くフレーム期間Ｆ−３では、マスクパターンを「Ｐ３」→「Ｐ４」→「Ｐ１」→「Ｐ２」の順序で切り替え、フレーム期間Ｆ−４では、マスクパターンを「Ｐ４」→「Ｐ１」→「Ｐ２」→「Ｐ３」の順序で切り替える。
【００５７】
これにより、左眼用シャッター６Ｌの開期間ＴonLにおいて、例えば「Ｐ２」→「Ｐ３」→「Ｐ４」→「Ｐ１」の順序でマスクの全パターンを観察者に視認させることができる。また、右眼用シャッター６Ｒの開期間ＴonRにおいて、例えば「Ｐ４」→「Ｐ１」→「Ｐ２」→「Ｐ３」の順序でマスクの全パターンを観察者に視認させることができる。
【００５８】
上記のように、本変形例では、単位フレーム期間毎に、パターンＰ１〜Ｐ４を異なる順序で切り替えることにより、立体映像表示を行う場合であっても、観察者に、左眼および右眼の双方において、マスクパターンと同数の４フレーム期間で全パターンを連続的に視認させることができる。これにより、上記実施の形態と同様、各マスクに配置された２種類の階調が、時間的かつ空間的に平均化され、その中間調（３１．７５階調（図１１（Ｃ）のＡ１Ｌ，Ａ１Ｒ））が表現される。よって、上記実施の形態と同等の効果を得ることができる。
【００５９】
尚、上記実施の形態および変形例１では、２回書き込みの場合に、ディザリング処理部４２が、１フレーム期間の全期間を通してマスクを使用する場合、即ち右眼用シャッター６Ｒおよび左眼用シャッター６Ｌが閉状態である期間中もマスクを使用する場合を例に挙げて説明したが、右眼用シャッター６Ｒおよび左眼用シャッター６Ｌの各開期間にのみ、マスクを使用するように制御してもよい。
【００６０】
＜変形例２＞
図１２（Ａ），（Ｂ）は、変形例２に係る立体映像表示システムの立体映像表示動作の概要を表すタイミング図である。図１２（Ａ）は映像の書き込み・表示動作、図１２（Ｂ）はシャッター眼鏡６（左眼用シャッター６Ｌ，右眼用シャッター６Ｒ）の開閉状態をそれぞれ示すものである。図１２（Ａ）において、実線の矢印は右眼用映像信号の書き込み（Ｒ書き込み）のタイミング、破線の矢印は左眼用映像信号の書き込み（Ｌ書き込み）のタイミングをそれぞれ示す。図１２（Ｂ）では、左眼用シャッター６Ｌ，右眼用シャッター６Ｒにおける閉期間を黒色、開期間（ＴonＬ，ＴonＲ）を白色で示す。
【００６１】
本変形例では、液晶表示装置１において、図１２（Ａ）に示したように、液晶表示パネル２に対し、１フレーム期間のＬサブフレーム期間に左眼用映像信号、Ｒサブフレーム期間に右眼用映像信号をそれぞれ１回ずつ書き込む。一方、シャッター眼鏡６では、図１２（Ｂ）に示したように、左眼用シャッター６Ｌの開期間ＴonLが、Ｌ書き込みが完了してからＲ書き込みが完了するまでの間、右眼用シャッター６Ｒの開期間ＴonRが、Ｒ書き込みが完了してからＬ書き込みが完了するまでの間に設定される。
【００６２】
このような１回書き込みによる立体映像表示を行う場合には、ディザリング処理部４２におけるディザリング処理動作は、次のようにして行う。図１３（Ａ）〜（Ｃ）は、変形例２に係るディザリング処理動作の概要を説明するためのタイミング図である。図１３（Ａ）は、シャッター眼鏡６における左眼用シャッター６Ｌと右眼用シャッター６Ｒの開閉状態を示し、図１３（Ｂ）は、連続する４つの単位フレーム期間（Ｆ−１〜Ｆ−４）におけるマスクパターンの切り替えのタイミングを表すものである。尚、上記実施の形態と同様、２×２の領域に３１階調と３２階調とを１：３の存在比で配置させると共に、３１階調を左上、右上、右下、左下にそれぞれ配置させてなるパターンＰ１〜Ｐ４を有する４つのマスクを用いた場合を例に挙げて説明する。
【００６３】
図１３（Ｂ）に示したように、ディザリング処理部４２は、上記実施の形態と同様、単位フレーム期間毎に、マスクを切り替える制御を行う。換言すると、あるフレーム期間Ｆ−１において、パターンＰ１を継続して使用し、次のフレーム期間Ｆ−２への切り替えタイミングに同期して、パターンＰ１からパターンＰ２への切り替えを行う。同様に、フレーム期間Ｆ−３への切り替えタイミングに同期してパターンＰ３への切り替え、フレーム期間Ｆ−４への切り替えタイミングに同期して、パターンＰ４への切り替えを行う。これにより、左眼用シャッター６Ｌおよび右眼用シャッター６Ｒの各開期間ＴonL，ＴonRにおいて、例えば「Ｐ１」→「Ｐ２」→「Ｐ３」→「Ｐ４」の順序でマスクの全パターンを観察者に視認させることができる。
【００６４】
本変形例のように、１回書き込みによる立体映像表示を行う場合であっても、観察者に、左眼および右眼の双方において、マスクパターンと同数の４フレーム期間で全パターンを連続的に視認させることができる。これにより、上記実施の形態と同様、各マスクに配置された２種類の階調が、時間的かつ空間的に平均化され、その中間調（３１．７５階調（図１３（Ｃ）のＡ１Ｌ，Ａ１Ｒ））が表現される。よって、上記実施の形態と同等の効果を得ることができる。
【００６５】
＜変形例３＞
図１４（Ａ）〜（Ｃ）は、変形例３に係るディザリング処理動作の概要を説明するためのタイミング図である。図１４（Ａ）は、シャッター眼鏡６における左眼用シャッター６Ｌと右眼用シャッター６Ｒの開閉状態を示すものである。図１４（Ｂ）は、連続する４つの単位フレーム期間（Ｆ−１〜Ｆ−４）におけるマスクパターンの切り替えのタイミングを表すものである。変形例３では、上記実施の形態の映像表示システムのディザリング処理部４２におけるディザリング処理動作のみが異なっており、その他の各部の構成および動作は上記実施の形態と同様である。
【００６６】
本変形例のディザリング処理動作では、マスクパターンを切り替えるタイミングが上記変形例２におけるディザリング処理動作と異なっている。即ち、本変形例では、映像の１回書き込みにより立体映像表示を行う場合において、ディザリング処理部４２が、例えば単位フレーム期間毎に異なる順序でパターンＰ１〜Ｐ４が切り替わるように制御する。例えば、図１４（Ｂ）に示したように、あるフレーム期間Ｆ−１では、マスクパターンを「Ｐ１」→「Ｐ２」の順序で切り替え、続くフレーム期間Ｆ−２では、マスクパターンを「Ｐ２」→「Ｐ３」の順序で切り替え、続くフレーム期間Ｆ−３では、マスクパターンを「Ｐ３」→「Ｐ４」の順序で切り替え、続くフレーム期間Ｆ−４では、マスクパターンを「Ｐ４」→「Ｐ１」の順序で切り替える。これにより、左眼用シャッター６Ｌの開期間ＴonLにおいて、例えば「Ｐ１」→「Ｐ２」→「Ｐ３」→「Ｐ４」の順序でマスクの全パターンを観察者に視認させることができ、右眼用シャッター６Ｒの開期間ＴonRにおいて、例えば「Ｐ２」→「Ｐ３」→「Ｐ４」→「Ｐ１」の順序でマスクの全パターンを観察者に視認させることができる。
【００６７】
このように、１回書き込みの場合においても、単位フレーム期間毎に、パターンＰ１〜Ｐ４を異なる順序で切り替えることにより、観察者に、左眼および右眼の双方において、マスクパターンと同数の４フレーム期間で全パターンを連続的に視認させることができる。これにより、上記実施の形態と同様、各マスクに配置された２種類の階調が、時間的かつ空間的に平均化され、その中間調（３１．７５階調（図１４（Ｃ）のＡ１Ｌ，Ａ１Ｒ））が表現される。よって、上記実施の形態と同等の効果を得ることができる。
【００６８】
＜変形例４＞
図１５は、変形例４に係るマスクのパターンＰ５〜Ｐ６について表したものである。これらのパターンＰ５〜Ｐ６は、上記実施の形態の映像表示システムのディザリング処理部４２において使用することができるものである。パターンＰ５〜Ｐ６はいずれも、上記実施の形態のマスクのパターンＰ１〜Ｐ５と同様、３１階調と３２階調とを、１：３の存在比でそれぞれ異なるパターンで配列させたものである。但し、本変形例では、パターンＰ５〜Ｐ６が、４×４のマトリクス領域を有しており、それぞれの領域に３１階調または３２階調が配置されている。即ち、本変形例では、映像における４×４の画素領域に対して、ディザリング処理が施され、この４×４の画素領域において時間的かつ空間的に階調の平均化がなされる。
【００６９】
このように、ディザリング処理で用いるマスクのパターンは４×４のマトリクスとしてもよく、この場合であっても、上記実施の形態と同等の効果を得ることができる。即ち、マスクパターンとしては、上記２×２のパターンに限られない。
【００７０】
また、上記実施の形態や変形例では、３１階調と３２階調とを１：３の存在比で配列させた４つのマスクを用いて、ディザリング処理を行う場合を例に挙げて説明したが、ディザリング処理で使用するマスクの枚数、階調の種類や数等はこれに限定されない。また、上記実施の形態等では、ｍ×ｎのマスクパターンにおいて、ｍ＝ｎ（２×２または４×４）の場合を例に挙げて説明したが、ｍ×ｎが２以上となっていれば、ｍとｎは互いに異なる整数同士であってもよい。但し、各マスクの面全体（ｍ×ｎの画素領域）の階調の平均と、全マスクパターンにおける画素毎の階調の平均が、それぞれ目標の中間調となるようにパターンを設定する。また、各マスクパターンを時分割で表示した場合に、マスク毎のパターンが目立ったり、マスク同士の切り替えによってパターンの動きが見えたりすることのないように、各パターンを適宜設定することが望ましい。
【００７１】
＜変形例５＞
図１６は、変形例５に係る映像表示システム（マルチビューシステム）における映像表示動作の概要を模式的に表したものである。本変形例では、これまで説明した立体映像表示動作の代わりに、複数人の観察者（ここでは、２人の観察者）に対し、互いに異なる複数（ここでは、２つ）の映像を個別に表示させることを可能とするマルチ映像表示動作を行う。
【００７２】
本変形例のマルチビューシステムでは、１人目の観察者に対応する第１の映像信号に基づく第１の映像と、２人目の観察者に対応する第２の映像信号に基づく第２の映像とが、時分割で交互に表示される。即ち、これまでは、シャッター眼鏡６における左眼用シャッター６Ｌおよび右眼用シャッター６Ｒ毎にそれぞれ対応する左眼用映像および右眼用映像が表示されるのに対し、本変形例では、観察者（ユーザ）毎にそれぞれ対応する複数の映像が表示される。
【００７３】
具体的には、図１６（Ａ）に示したように、第１の映像Ｖ１を表示しているときには、制御信号ＣＴＬ１により、観察者７１が用いるシャッター眼鏡６１において、右眼用シャッター６Ｒおよび左眼用シャッター６Ｌの双方が開状態となっている。また、制御信号ＣＴＬ２により、観察者７２が用いるシャッター眼鏡６２において、右眼用シャッター６Ｒおよび左眼用シャッター６Ｌの双方が閉状態となっている。即ち、観察者７１のシャッター眼鏡６１では、第１の映像Ｖ１に基づく表示光ＬＶ１を透過させ、観察者７２のシャッター眼鏡６２では、この表示光ＬＶ１を遮断させる。
【００７４】
一方、図１６（Ｂ）に示したように、第２の映像Ｖ２を表示しているときには、制御信号ＣＴＬ２により、観察者７２が用いるシャッター眼鏡６２において、右眼用シャッター６Ｒおよび左眼用シャッター６Ｌの双方が開状態となっている。また、制御信号ＣＴＬ１により、観察者７１が用いるシャッター眼鏡６１において、右眼用シャッター６Ｒおよび左眼用シャッター６Ｌの双方が閉状態となっている。即ち、観察者７２のシャッター眼鏡６２では、第２の映像Ｖ２に基づく表示光ＬＶ２を透過させ、観察者７１のシャッター眼鏡６１では、この表示光ＬＶ２を遮断させる。
【００７５】
このような状態が時分割で交互に繰り返されることにより、２人の観察者７１，７２は、互いに異なる映像（映像Ｖ１，Ｖ２）を個別に観察することが可能となる。
【００７６】
本変形例にように、マルチ映像表示動作を行う場合においても、上記実施の形態および変形例等で説明したディザリング処理を適用することが可能であり、上記実施の形態等と同様の作用により同等の効果を得ることができる。
【００７７】
尚、本変形例では、２人の観察者において互いに異なる２つの映像を個別に観察する場合について説明したが、３人以上の観察者において互いに異なる３つ以上の映像を個別に観察する場合にも、本発明を適用することが可能である。また、映像の数とシャッター眼鏡の数は必ずしも同一でなくともよい。即ち、ある１つの映像に対応して開閉動作を行うシャッター眼鏡を複数個用意し、１つの映像を複数人の観察者で観察するようにしてもよい。
【００７８】
以上、実施の形態および変形例を挙げて本発明を説明したが、本発明はこれらの実施の形態等に限定されず、種々の変形が可能である。例えば、上記実施の形態等では、立体映像表示を行う場合において、左眼用映像および右眼用映像の書き込みを各２回（または１回）ずつ行う場合を例に挙げて説明したが、映像の書き込み回数は、これに限定されず、それぞれ３回以上書き込むようにしてもよい。
【００７９】
また、上記実施の形態等では、表示装置の一例として、液晶素子を用いて構成された液晶表示部を備えた液晶表示装置を挙げて説明したが、本発明は他の種類の表示装置にも適用することが可能である。具体的には、例えばＰＤＰ（Plasma Display Panel）や有機ＥＬ（Electro Luminescence）ディスプレイなどを用いた表示装置にも適用することが可能である。
【００８０】
更に、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【００８１】
加えて、上記実施の形態等では、シャッター眼鏡を用いた立体映像表示システムやマルチビューシステムにおいて、ディザリング処理を行う例を挙げて説明したが、この他にも例えばフィールドシーケンシャル（ＦＳ）方式を用いた映像表示装置に適用可能である。このＦＳ方式の映像表示装置では、１フレーム期間を３分割し、Ｒ，Ｇ，Ｂの各色に対応した映像を順次書き込むと共に、各映像の書き込みに同期してバックライトからＲ，Ｇ，Ｂの色光を発光させる。このＦＳ方式に本発明のディザリング処理を適用する場合には、Ｒ，Ｇ，Ｂの各表示期間において、マスクの全パターンが切り替わるように制御すればよい。
【符号の説明】
【００８２】
１…液晶表示装置、２…液晶表示パネル、２０…画素、２１…ＴＦＴ素子、２２…液晶素子、２３…補助容量素子、３…バックライト、４１…映像信号処理部、４２…ディザリング処理部、４３…シャッター制御部、４４…ＬＵＴ、４５…タイミング制御部、５０…バックライト駆動部、５１…データドライバ、５２…ゲートドライバ、６…シャッター眼鏡、６Ｌ…左眼用シャッター、６Ｒ…右眼用シャッター、７，７１，７２…観察者（ユーザ）、Ｄin，Ｄ１，Ｄ２…映像信号、ＣＴＬ，ＣＴＬ１，ＣＴＬ２…制御信号、Ｄ…データ線、Ｇ…ゲート線、Ｃｓ…補助容量線、Ｌ…左眼用映像、Ｒ…右眼用映像、Ｖ１，Ｖ２…映像、ＴonＬ，ＴonＲ…シャッター開期間、ＬＬ，ＬＲ，ＬＶ１，ＬＶ２…表示光。
【図１】
0005526628.tif 000002
【図２】
0005526628.tif 000003
【図３】
0005526628.tif 000004
【図４】
0005526628.tif 000005
【図５】
0005526628.tif 000006
【図６】
0005526628.tif 000007
【図７】
0005526628.tif 000008
【図８】
0005526628.tif 000009
【図９】
0005526628.tif 000010
【図１０】
0005526628.tif 000011
【図１１】
0005526628.tif 000012
【図１２】
0005526628.tif 000013
【図１３】
0005526628.tif 000014
【図１４】
0005526628.tif 000015
【図１５】
0005526628.tif 000016
【図１６】
0005526628.tif 000017